(57)【要約】      （修正有）【課題】青果物酵素パウダーが吸湿したり散乱したりすることを防ぎ、包装コストを減らして環境汚染を防ぐ、青果物酵素容器構造を提供する。【解決手段】青果物酵素容器構造は、包装容器１０内に青果物酵素パウダー２１を受ける。包装容器は、缶体１１と、缶体の開口を覆う蓋体１２とを有する。缶体の開口部の周りには、第１の凸リング１１１が設けられる。第１の凸リングの外側面には、第１の接合部１１２が設けられる。蓋体は、第１の凸リング１１１の外側面に設けられた第２の凸リング１２１を有する。第２の凸リングの内面には、第１の接合部１１２に対応して接合する第２の接合部１２２が設けられる。缶体の第１の凸リングの内面には、少なくとも１個の嵌合リング１１３が突設される。蓋体の第２の凸リングの内側領域の周りには、嵌合リング中に深く入れて嵌合リングに密着するストッパリング１２３が突設される。【選択図】図３
0003211053.tif 000002
【実用新案登録請求の範囲】
【請求項１】
包装容器内に青果物酵素パウダーを受ける青果物酵素容器構造であって、
前記包装容器は、缶体と、前記缶体の開口を覆う蓋体と、を有し、
前記缶体の開口部の周りには、第１の凸リングが設けられ、前記第１の凸リングの外側面には、第１の接合部が設けられ、前記蓋体は、前記第１の凸リングの外側面に設けられた第２の凸リングを有し、前記第２の凸リングの内面には、前記第１の接合部に対応して接合する第２の接合部が設けられ、
前記缶体の前記第１の凸リングの内面には、少なくとも１個の嵌合リングが突設され、
前記蓋体の前記第２の凸リングの内側領域の周りには、前記嵌合リング中に対応するように深く入れて前記嵌合リングに密着されるストッパリングが突設されていることを特徴とする青果物酵素容器構造。
【請求項２】
前記第１の接合部は、少なくとも一部の雄ねじ部を有し、
前記第２の接合部は、前記雄ねじ部に対応して螺合する少なくとも一部の雌ねじ部を有することを特徴とする請求項１に記載の青果物酵素容器構造。
【請求項３】
前記第１の接合部の周りには、凸状外リングが設けられ、
前記第２の接合部の周りには、凸状外リングが対応して係入される凹溝が形成されていることを特徴とする請求項１に記載の青果物酵素容器構造。
【請求項４】
前記第１の接合部の周りには、凸状外リングが設けられ、
前記第２の接合部の周りには、凸状外リングが対応して係入される凹溝が形成され、
前記蓋体の外周面には、指で把持し易いように突片が突設されていることを特徴とする請求項１に記載の青果物酵素容器構造。
【考案の詳細な説明】
【技術分野】
【０００１】
本考案は、酵素製品に関し、特に、青果物酵素パウダーが吸湿したり散乱したりすることを防ぎ、包装コストを減らして環境汚染を防ぐ、青果物酵素容器構造に関する。
【背景技術】
【０００２】
体内の酵素は、内分泌のバランスを良くし、血液をきれいにし、免疫力を改善し、消化吸収を促進し、細胞変異を防ぐなどの作用を有する。年齢の増加、食の安全、生活環境などの問題により、人体内の酵素含有量は年々低下し、身体の代謝速度が下がり、サブオプティマルヘルス（Ｓｕｂｏｐｔｉｍａｌ  Ｈｅａｌｔｈ）、慢性病などの問題が発生したり、次第に老化現象が現れたりする虞がある。
【０００３】
そのため、酵素を適時補充すると、体内の全ての生命活動を整然として乱れなく行うことができる。世間一般には「酵素」の健康ブームが起きており、様々なテレビ番組や流行雑誌などで、酵素に関連した製品が次から次へと紹介されている。厳密に述べると、酵素は治療効果を高める栄養補給製品であり、薬品ではなく、一般に、期待される効果を達成するためには、長期間摂取しなければならないが、製品が一定の分量で販売されているため、製品の保存には特に注意が必要であった。
【０００４】
従来のカプセル型又は錠剤型の健康食品に使用する包装容器は、缶体と蓋体とが雌ねじと雄ねじとの組み合わせだけで接合されているため、密閉効果には限界があり、粉末状又は粒状の酵素食品を受けると、吸湿したり散乱したりする虞があり、一般に世間で販売されている酵素食品の大部分は、包装容器内に複数の小パックが収容されている。そのため、商品の包装コストが増える上、環境を汚染し易かった。特に、小パックの容量には限界があるため、消費者が必要に応じて容量を調整することは困難であった。
【考案の概要】
【考案が解決しようとする課題】
【０００５】
本考案の主な目的は、青果物酵素パウダーが吸湿したり散乱したりすることを防ぎ、包装コストを減らして環境汚染を防ぐ、青果物酵素容器構造を提供することにある。
【課題を解決するための手段】
【０００６】
上記課題を解決するために、本考案の第１の形態によれば、包装容器内に青果物酵素パウダーを受ける青果物酵素容器構造であって、前記包装容器は、缶体と、前記缶体の開口を覆う蓋体と、を有し、前記缶体の開口部の周りには、第１の凸リングが設けられ、前記第１の凸リングの外側面には、第１の接合部が設けられ、前記蓋体は、前記第１の凸リングの外側面に設けられた第２の凸リングを有し、前記第２の凸リングの内面には、前記第１の接合部に対応して接合する第２の接合部が設けられ、前記缶体の前記第１の凸リングの内面には、少なくとも１個の嵌合リングが突設され、前記蓋体の前記第２の凸リングの内側領域の周りには、前記嵌合リング中に対応するように深く入れて前記嵌合リングに密着されるストッパリングが突設されていることを特徴とする青果物酵素容器構造が提供される。
【０００７】
前記第１の接合部は、少なくとも一部の雄ねじ部を有し、前記第２の接合部は、前記雄ねじ部に対応して螺合する少なくとも一部の雌ねじ部を有することが好ましい。
【０００８】
前記第１の接合部の周りには、凸状外リングが設けられ、前記第２の接合部の周りには、凸状外リングが対応して係入される凹溝が形成されていることが好ましい。
【０００９】
前記第１の接合部の周りには、凸状外リングが設けられ、前記第２の接合部の周りには、凸状外リングが対応して係入される凹溝が形成され、前記蓋体の外周面には、指で把持し易いように突片が突設されていることが好ましい。
【考案の効果】
【００１０】
本考案の青果物酵素容器構造は、ストッパリングと嵌合リングとが密着され、包装容器内部が受けた青果物酵素パウダーが吸湿したり散乱したりすることを防ぎ、使用過程で第１の接合部及び第２の接合部に残留する青果物酵素パウダーの量を大幅に減らすことができ、積極的かつ信頼できる方式で製品の品質を保持し、環境汚染を防ぎながら製品の包装コストを減らすこともできる。
【図面の簡単な説明】
【００１１】
【図１】図１は、本考案の第１実施形態に係る青果物酵素容器構造を示す斜視図である。
【図２】図２は、本考案の第１実施形態に係る青果物酵素容器構造を示す説明図である。
【図３】図３は、本考案の第１実施形態に係る青果物酵素容器構造を示す部分断面図である。
【図４】図４は、本考案の第２実施形態に係る青果物酵素容器構造を示す斜視図である。
【図５】図５は、本考案の第２実施形態に係る青果物酵素容器構造を示す部分断面図である。
【考案を実施するための形態】
【００１２】
本考案は、青果物酵素パウダーが吸湿したり散乱したりすることを防ぎ、包装コストを減らして環境汚染を防ぐ、青果物酵素容器構造を提供する。図１〜図３に示すように、本考案の第１実施形態に係る青果物酵素容器構造は、包装容器１０内で青果物酵素パウダー２１を受ける。包装容器１０は、缶体１１と、缶体１１の開口を覆う蓋体１２と、を有する。
【００１３】
缶体１１の開口部の周りには、第１の凸リング１１１が設けられる。第１の凸リング１１１の外側面には、第１の接合部１１２が設けられる。蓋体１２は、第１の凸リング１１１の外側面に設けられた第２の凸リング１２１を有する。第２の凸リング１２１の内側面には、第１の接合部１１２に対応して接合する第２の接合部１２２が設けられ、第１の接合部１１２及び第２の接合部１２２を利用し、缶体１１の開口に蓋体１２を確実に取付けて位置決めし、包装容器１０内で青果物酵素パウダー２１を受ける青果物酵素容器構造が形成される。
【００１４】
本考案の重要ポイントとして、缶体１１の第１の凸リング１１１内に、少なくとも１個の嵌合リング１１３が突設されている。蓋体１２は、第２の凸リング１２１の内側領域に、少なくとも１個の嵌合リング１１３中に対応し、少なくとも１個の嵌合リング１１３に密着されるストッパリング１２３が１周突設されている。
【００１５】
第１実施形態の青果物酵素容器構造は、第１の接合部１１２及び第２の接合部１２２を利用し、缶体１１の開口に蓋体１２を確実に取付けることができる上、ストッパリング１２３と嵌合リング１１３とを密着させることができるため、青果物酵素パウダー２１が吸湿したり散乱したりすることを防ぎ、使用過程で第１の接合部１１２及び第２の接合部１２２に残留する青果物酵素パウダー２１の量を大幅に減らすことができるため、積極的かつ信頼できる方式で製品の品質を保持し、環境汚染を防ぎながら製品の包装コストを減らすこともできる。
【００１６】
ここで青果物酵素パウダー２１は、重金属、農薬などを検出した野菜、果物などの原料を、残留している可能性がある不純物を高周波洗浄方式により除去した後、９０日間で酵素を分解し、青果物の栄養をアミノ酸小分子に変換したものでもよい。続いて、酵母菌を３０日間発酵させ、酢酸菌を３０日間発酵させ、乳酸菌を９０日間発酵させるなどして様々な純菌を接種発酵させ、順次、ビタミン、アミノ酸、ミネラル、グルタチオン、エタノール、二酸化炭素、有機酸、酢酸、核酸を得て、菌体外多糖に抗酸化キナーゼを保留してもよい。
【００１７】
最後に特殊な低温乾燥の密封環境下で継続的に循環させて５．５倍の濃縮乾燥を行い、酵素栄養成分及び抗酸化キナーゼ活性の青果物酵素パウダー２１を得る。勿論、本考案の青果物酵素容器構造は、包装容器１０内でサイリウムハスクパウダー（ｐｓｙｌｌｉｕｍ  ｓｅｅｄ  ｈｕｓｋ）２２、１０グレインパウダー（ｔｅｎ  ｇｒａｉｎ−ｐｏｗｄｅｒ）２３、スピルリナパウダー（ｓｐｉｒｕｌｉｎａ  ｐｏｗｄｅｒ）２４、クロレラパウダー（ｃｈｌｏｒｅｌｌａ  ｐｏｗｄｅｒ）２５及びグラスパウダー（ｇｒａｓｓ  ｐｏｗｄｅｒ）２６を受け、繊維その他全栄養分の補給を行ってもよい。
【００１８】
図１〜図３を参照する。図１〜図３に示すように、本考案の第１実施形態に係る青果物酵素容器構造の第１の接合部１１２は、少なくとも１セクションの雄ねじ部分により構成され、第２の接合部１２２は、雄ねじ部分に対応する少なくとも１セクションの雌ねじ部分により構成され、蓋体１２を回転して開閉することができる。
【００１９】
勿論、上述した第１の接合部１１２は、図４及び図５に示すように、少なくとも１周の凸状外リングにより構成され、第２の接合部１２２は、少なくとも凸状外リングが対応して係入される１周の凹溝により構成され、指で撥ね上げるか押し付けて蓋体１２を開閉してもよい。
【００２０】
第２実施形態の青果物酵素容器構造は、図４及び図５に示すように、上述の第１の接合部１１２が少なくとも１周の凸状外リングにより構成され、第２の接合部１２２が、少なくとも凸状外リングが対応して係入される１周の凹溝により構成され、蓋体１２の外周には、指で把持し易いように突片１２４が突設されているため、使い易い。
【００２１】
上述したことから分かるように、本考案の青果物酵素容器構造は、ストッパリングと嵌合リングとを密着し、包装容器内部で受けた青果物酵素パウダーが吸湿したり散乱したりすることを防ぐことができる上、使用過程で第１の接合部及び第２の接合部に残留する青果物酵素パウダーの量を大幅に減らすことができ、積極的かつ信頼できる方式で製品の品質を保持し、環境汚染を防ぎながら製品の包装コストを減らすこともできる。
【００２２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１０  包装容器
１１  缶体
１２  蓋体
２１  青果物酵素パウダー
２２  サイリウムハスクパウダー
２３  １０グレインパウダー
２４  スピルリナパウダー
２５  クロレラパウダー
２６  グラスパウダー
１１１  第１の凸リング
１１２  第１の接合部
１１３  嵌合リング
１２１  第２の凸リング
１２２  第２の接合部
１２３  ストッパリング
１２４  突片
【図１】
0003211053.tif 000003
【図２】
0003211053.tif 000004
【図３】
0003211053.tif 000005
【図４】
0003211053.tif 000006
【図５】
0003211053.tif 000007